(57)【要約】【課題】レンズアクセサリの有無に関わらずレンズキャップを装着でき、かつフィルターの操作性を損なうことがないレンズフードを提供する。【解決手段】レンズ鏡筒に取り付け可能であって、前記レンズ鏡筒への光の入射を遮る遮光部を有するレンズフードであって、光の出射側に形成された雄ねじと雌ねじのうち一方からなる第１の接続部と光の入射側に形成された雄ねじと雌ねじのうち他方からなる第２の接続部と、を有し、前記雄ねじと雌ねじのうち一方のピッチおよび呼び径は、前記レンズ鏡筒に接続可能となるように形成され、前記雄ねじと雌ねじのうち他方のピッチおよび呼び径は、前記雄ねじと雌ねじのうち一方のピッチおよび呼び径と同一となるように形成されていることを特徴とするレンズフード。【選択図】図１
2013210447.tif 000002
【特許請求の範囲】
【請求項１】
レンズ鏡筒に取り付け可能であって、前記レンズ鏡筒への光の入射を遮る遮光部を有するレンズフードであって、
光の出射側に形成された雄ねじと雌ねじのうち一方からなる第１の接続部と
光の入射側に形成された雄ねじと雌ねじのうち他方からなる第２の接続部と、を有し、
前記雄ねじと雌ねじのうち一方のピッチおよび呼び径は、前記レンズ鏡筒に接続可能となるように形成され、
前記雄ねじと雌ねじのうち他方のピッチおよび呼び径は、前記雄ねじと雌ねじのうち一方のピッチおよび呼び径と同一となるように形成されている、
ことを特徴とするレンズフード。
【請求項２】
レンズ鏡筒の先端部に取り付け可能であって、
最外周径が、前記レンズ鏡筒の前記先端部の外周径と合うように構成されていることを特徴とする請求項１に記載のレンズフード。
【請求項３】
前記レンズ鏡筒へ入射する光が拡散反射する処理が施されていることを特徴とする請求項１または２に記載のレンズフード。
【請求項４】
アルミニウム合金で製造されており、
前記処理がアルマイト処理であり、
前記遮光部よりも前記第１の接続部の側の内周に形成された円周状溝部にアルマイト接点部を設けることを特徴とする請求項３に記載のレンズフード。
【発明の詳細な説明】
【技術分野】
【０００１】
本発明は、レンズ鏡筒に装着可能なレンズフードに関するものである。
【背景技術】
【０００２】
従来、スチルカメラ、デジタルカメラ、またはビデオカメラなどの光学機器に用いられるレンズ鏡筒では、その先端部にアクセサリを取り付けるための取り付けねじが設けられているものがある。その取り付けねじには偏光フィルター、または有害光をカットするためのフードなどレンズアクセサリが取り付けられる。
【０００３】
ここで、光学機器の不使用時にはレンズ鏡筒にレンズ前面を保護するためのレンズキャップを装着することが一般的であるが、レンズキャップを装着するためには、レンズ鏡筒からレンズアクセサリを外さなければならなかった。つまり、光学機器を使用する度に、レンズアクセサリをレンズ鏡筒に装着し直す手間がかかった。このような手間を省くため、例えば、特許文献１は、レンズ鏡筒に装着されたレンズフードにレンズキャップを取り付けることが可能なレンズフードを開示している。
【先行技術文献】
【特許文献】
【０００４】
【特許文献１】特開２００６−５８７８６号公報
【発明の概要】
【発明が解決しようとする課題】
【０００５】
しかしながら、特許文献１に開示されたレンズフードでは、レンズフードにしかレンズキャップを装着することができない。従って、特許文献１の構成ではレンズフードをレンズ鏡筒に取り付けなければレンズキャップを装着することが不可能である。さらに特許文献１の構成ではフードの内側にフィルターの回転操作部を設置しているため、フィルターを使用する際、フードが邪魔になり、フィルターを回転させることができない。
【０００６】
本発明は、このような状況を鑑みてなされたものであり、レンズアクセサリの有無に関わらずレンズキャップを装着でき、かつフィルターの操作性を損なうことがないレンズフードを提供することを目的とする。
【課題を解決するための手段】
【０００７】
上記課題を解決するために、本発明は、レンズ鏡筒に取り付け可能であって、前記レンズ鏡筒への光の入射を遮る遮光部を有するレンズフードであって、光の出射側に形成された雄ねじと雌ねじのうち一方からなる第１の接続部と光の入射側に形成された雄ねじと雌ねじのうち他方からなる第２の接続部と、を有し、前記雄ねじと雌ねじのうち一方のピッチおよび呼び径は、前記レンズ鏡筒に接続可能となるように形成され、前記雄ねじと雌ねじのうち他方のピッチおよび呼び径は、前記雄ねじと雌ねじのうち一方のピッチおよび呼び径と同一となるように形成されていることを特徴とする。
【発明の効果】
【０００８】
本発明によれば、レンズアクセサリの有無に関わらずレンズキャップを装着でき、かつフィルターの操作性を損なうことがないレンズフードを提供することができる。
【図面の簡単な説明】
【０００９】
【図１】本発明の実施形態に係るレンズフードをレンズ鏡筒に装着した図である。
【図２】レンズアクセサリを直接アクセサリ取り付け環に装着した図である。
【図３】本発明の実施形態に係るレンズフードの遮光効果を示す図である。
【図４】図１に示す実施形態の一部を変更した図である。
【発明を実施するための形態】
【００１０】
以下、本発明を実施するための形態について図面などを参照して説明する。
【００１１】
まず、本発明の一実施形態に係るレンズフード１の構成について説明する。図１は本実施形態に係るレンズフード１をレンズ鏡筒２に装着した状態を示す要部断面図である。レンズフード１は、例えば、デジタルスチルカメラやビデオカメラなどの撮像装置（光学機器）に接続または固定されるレンズ鏡筒に装着可能とされ、強い光線の入射を遮断するレンズアクセサリである。図１に示すように、レンズ鏡筒２は、その先端部にアクセサリ取り付け環２ａを有し、レンズフード１は、このアクセサリ取り付け環２ａに対してねじ込み式で装着され、ユーザーの所望の使用条件により、着脱可能とする。なお、本実施形態のレンズフード１は、その開口径は取り付け側であるレンズ鏡筒２の開口径よりも小さい、いわゆるフジツボ型のレンズフードである。
【００１２】
レンズフード１は被写体側からの入射光をレンズ鏡筒２側に向けて出射可能とする開口を中心とした円環形状であり、第１の接続部１ａと第２の接続部１ｂとを含む本体部１ｃ（図１破線領域）と、この本体部１ｃより内側（光軸側）に延伸した遮光部１ｄとを含む。特に、レンズフード１の最外周径は、アクセサリ取り付け環２ａ（レンズ鏡筒２の先端部）の外周径に合わせる、すなわち略一致させることが望ましい。なお、通常、アクセサリ取り付け環２ａの材質は、軽量化の観点から例えば樹脂であることが多い。これに対して、レンズフード１は軽量化の観点から、さらには樹脂材で構成されるアクセサリ取り付け環２ａとの食いつきを抑制するために、例えばアルミニウム合金などで製造することが望ましい。また同様の観点からレンズフード１の体積はアクセサリ取り付け環２ａよりも小さく設定されている。
【００１３】
まず、第１の接続部１ａは雄ねじ１０ａで構成されている。雄ねじ１０ａは、レンズフード１の本体部１ｃの光の出射側に設置され、アクセサリ取り付け環２ａの先端に設置される雌ねじ２ｂと螺合する。すなわち、レンズフード１の雄ねじ１０ａのピッチおよび呼び径はアクセサリ取り付け環２ａの雌ねじ２ｂのピッチおよび呼び径と同一である。この雄ねじ１０ａによりレンズフード１は図１に示すようにレンズ鏡筒２と一体となる。
【００１４】
また、第２の接続部１ｂは雌ねじ１０ｂで構成されている。雌ねじ１０ｂは、本体部１ｃの光の入射側に設置され、雄ねじ１０ａのピッチおよび呼び径と同一である。そのため、レンズキャップ３、偏光フィルター４等のねじ込み式のレンズアクセサリの雄ねじと螺合可能である。なお、図１に示す例では、レンズフード１の雌ねじ１０ｂにレンズキャップ３を装着している。
【００１５】
ここで、レンズ鏡筒２には、レンズ鏡筒２用のレンズアクセサリが装着されることがある。例えば、このようなレンズアクセサリとしては偏光フィルター４やレンズキャップ３がある。すなわち、レンズアクセサリのねじ部は、アクセサリ取り付け環２ａの雌ねじ２ｂのピッチおよび呼び径と同一である。そのため、レンズフード１と偏光フィルター４はそれぞれレンズ鏡筒２のアクセサリ取り付け環２ａに接続可能であり、同一のレンズキャップ３をレンズフード１、偏光フィルター４、およびアクセサリ取り付け環２ａのいずれに対しても装着し得る。例えば、図１に示すように、レンズキャップ３をレンズフード１に装着することができる。また、図２（ａ）に示すように、レンズキャップ３をアクセサリ取り付け環２ａに直接装着してもよい。また、図２（ｂ）に示すように、レンズキャップ３をレンズアクセサリである偏光フィルター４に装着してもよい。このように、レンズアクセサリの有無に関わらずレンズキャップ３を装着することができる。
【００１６】
レンズフード１の遮光部１ｄは不要な光線を遮断するよう構成され、レンズフード１の厚み方向において雄ねじ１０ａと雌ねじ１０ｂの間にレンズフード１の本体部１ｃより内側に延伸し形成される。そのため、偏光フィルター４を取り付けた際には、その偏光フィルター４の回転操作部４ａは外周面に露呈する。よって、レンズフード１の内側に偏光フィルター４の回転操作部４ａがあるような、いわゆる花型のレンズフード１に比べ操作性が向上する。
【００１７】
また、レンズフード１は反射率を低くし、当たった光が拡散反射するようにブラックアルマイト処理が施されている。ブラックアルマイト処理とは、陽極酸化などにより製品表面に酸化被膜を形成する処理である。その陽極酸化の工程において電極を当てるため、レンズフード１には電極の跡であるアルマイト接点部１ｅが残る。アルマイト接点部１ｅを遮光部１ｄの雄ねじ側（像面側）、かつ内周の円周状溝部に設けている。したがって、レンズ鏡筒２にレンズフード１に取り付けた際、外観を損なわないようにしている。
【００１８】
次に、図３を参照してレンズフード１の遮光効果について説明する。図３はレンズ鏡筒２の光軸Ｘを含む要部断面図であり、ケラレライン５を用いてレンズ鏡筒２の前面のレンズ２ｃに入射する光に対する遮光効率を示す。図３（ａ）はレンズ鏡筒２にレンズフード１、偏光フィルター４の順に装着した状態を示す。図３（ｂ）はレンズ鏡筒２に偏光フィルター４、レンズフード１の順に装着した状態を示す。図３（ｃ）はレンズ鏡筒２に偏光フィルター４を２枚重ね、レンズフード１を装着した状態を示す。ケラレとは画像中心部と周辺部に明るさの差（周辺光量の低下）が発生する現象であり、レンズアクセサリなどがケラレラインに重なるとケラレが生じる。そのケラレが生じる境界をケラレラインという。図３（ａ）および図３（ｂ）では、ケラレライン５にレンズフード１は重なっていない。しかし図３（ｂ）の設定は図３（ａ）に比べレンズフード１の遮光部の先端１ｆからケラレライン５までの距離が短い。そのため、効率的に不要な光を遮光することが可能である。図３（ｃ）では、レンズフード１の遮光部１ｄがケラレライン５に重なっており、この設定で使用するとケラレが発生する。なお、上述したように、図３（ｂ）において、偏光フィルター４の回転操作部４ａが外周面に露呈しており、且つレンズフード１の最外周径がアクセサリ取り付け環２ａ（レンズ鏡筒２の先端部）の外周径に合わせて設定されている。これによって、レンズフード１とアクセサリ取り付け環２ａの間にある偏光フィルター４の回転操作部４ａが回転させるときの操作性が向上する。
【００１９】
以上のように本実施例によれば、レンズアクセサリの有無に関わらずレンズキャップ３を装着でき、かつフィルター等の操作性を損なうことがないレンズフード１を提供することができる。
【００２０】
なお、本発明の実施形態では、遮光部１ｄの形状が光軸Ｘの略直行方向に開口部を形成するように延伸するレンズフード１を説明した。しかし、図４に示すようにレンズフード１を光軸Ｘに対し傾きを持ちながら開口部を形成するように延伸させ、略円錐形の遮光部１ｄ´を形成することも可能である。
【００２１】
以上、本発明の好ましい実施形態について説明したが、本発明は、上記実施形態に限定されず、その要旨の範囲内で種々の変形及び変更が可能である。例えば、アクセサリ取り付け環に雄ねじが形成されている場合には、本発明における第１の接続部は雌ねじとなり、同時に第２の接続部は雄ねじとなる。つまり、本発明における第１の接続部は雌ねじと雄ねじのうちの一方からなり、第２の接続部は雌ねじと雄ねじのうちの他方からなる。
【符号の説明】
【００２２】
１    レンズフード
１ａ  第１の接続部
１ｂ  第２の接続部
１０ａ  雄ねじ
１０ｂ  雌ねじ
１ｄ  遮光部
２    レンズ鏡筒
【図１】
2013210447.tif 000003
【図２】
2013210447.tif 000004
【図３】
2013210447.tif 000005
【図４】
2013210447.tif 000006